(57)【要約】【課題】縦刃の三角形平面状の切削インサートを、工具本体に対して高剛性でクランプすることが可能な切削インサート、およびかかる切削インサートを装着したインサート着脱式転削工具を提供する。【解決手段】外形が三角形平板状に形成されていて、上面２ａ、下面及び３つの側面３を有する。上面と側面が交差するエッジ部Ｅと下面と側面が交差するエッジ部Ｅにより主切刃５が形成される。隣接する側面どうしが交差するエッジ部Ｆにより副切刃６が形成される。側面の厚さ方向中間部分に、切削インサート１が工具本体に取り付けられるときに、工具本体の取付座に当接されて工具本体に対する切削インサートの相対移動を拘束する拘束面８が形成される。拘束面は、厚み方向からみた外観形状が６角形とされている。【選択図】図１
2010064224.tif 000002
【特許請求の範囲】
【請求項１】
外形が三角形平板状に形成されていて、上面、下面及び３つの側面を有し、
上記上面と上記側面が交差するエッジ部と上記下面と上記側面が交差するエッジ部により主切刃が形成され、
隣接する上記側面どうしが交差するエッジ部により副切刃が形成され、
上記側面の厚さ方向中間部分に、当該切削インサートが工具本体に取り付けられるときに上記工具本体の取付座の当接面に当接されて上記工具本体に対する当該切削インサートの相対移動を拘束する拘束面が形成され、
上記拘束面は、厚み方向からみた外観形状が６角形とされていることを特徴とする切削インサート。
【請求項２】
上記上面と上記側面が交差するエッジ部と上記下面と上記側面が交差するエッジ部には、上記主切刃と、該主切刃に隣接する上記副切刃の逃げ面強化部が形成されていることを特徴とする請求項１記載の切削インサート。
【請求項３】
上記主切刃から当該切削インサートの中心に向かって延びて上記上面または上記下面に形成される逃げ面が捩れて形成され、当該切削インサートが上記工具本体に取り付けられるときに、上記主切刃のいずれの部位であっても逃げ角が一定になるように形成されていることを特徴とする請求項１または２に記載の切削インサート。
【請求項４】
上記主切刃は、当該切削インサートの中心線方向から見て凸曲線状をなすように形成されていることを特徴とする請求項1から３のいずれか一項に記載の切削インサート。
【請求項５】
上記主切刃と上記副切刃との間のコーナー部には、それら主切刃と副切刃とに交差するチャンファーまたは凸曲面が形成されていることを特徴とする請求項１から４のいずれか一項に記載の切削インサート。
【請求項６】
上記上面及び上記下面には、互いに異なるコーナー指標が設けられていることを特徴とする請求項１から５のいずれか一項に記載の切削インサート。
【請求項７】
軸線回りに回転される工具本体を有し、該工具本体の先端外周部に形成された取付座に、請求項１から請求項６のいずれか一項に記載の切削インサートが、上記上面又は下面のうち一方を上記工具本体外周側に向けるとともに、一の上記主切刃を工具回転方向側に向けて着脱可能に取り付けられ、
上記工具本体の上記取付座には、上記６角形に形成された拘束面のうちの３つ面がそれぞれ当接される当接面が形成されていることを特徴とするインサート着脱式転削工具。
【発明の詳細な説明】
【技術分野】
【０００１】
本発明は、三角形平板状をなして、上面または下面と側面とが交差するエッジ部により主切刃が形成される切削インサート、およびこの切削インサートが着脱可能に装着されるインサート着脱式転削工具に関するものである。
【背景技術】
【０００２】
従来、被削材を切削加工する際に使用される切削工具として、軸線回りに回転される工具本体の先端部外周に切刃を有する切削インサートを着脱可能に装着したインサート着脱式転削工具が知られている。
この種のインサート着脱式転削工具には、切削インサートが四角形平板状をなし、上下にある四角形面と側面とが交差するエッジ部によって主切刃が設けられ、四角形面の周りの４つの側面の１つがすくい面とされた、いわゆる縦刃の切削インサートを用いたものがある。
このように縦刃の四角形平面状の切削インサートを用いた切削工具にあっては、すくい角を確保する必要性から、アキシャルレーキ角がネガティブ（マイナス）ならざるを得ず、このため、切りくずの排出性が悪いという問題があった。このような問題に対処するものとして、近年、縦型の三角形平面状の切削インサートを用いた切削工具が提案されている（特許文献１参照）。
このような構成の切削工具では、切削インサートの上面または下面と側面が交差するエッジ部により構成される主切刃のうち隣接するものどうしが６０度の角度を持って交差するので、アキシャルレーキ角をポジティブに設定することができ、切りくずを良好に排出することができる。
【特許文献１】国際公開第２００７／１４９０３５号パンフレット
【発明の開示】
【発明が解決しようとする課題】
【０００３】
特許文献１に記載されたような縦型の三角形平面状の切削インサートを用いたインサート着脱式転削工具では、クランプ時において、切削インサートに設けられる複数の拘束面が、工具本体の当接面に強く押し付けられることによって、工具本体に対する切削インサートの相対移動が規制される。このクランプ時において、拘束面の交差角が約６０度と狭い角度しか設定されておらず、拘束面同士が交差する角部付近で充分な耐力を有していない。また、切削に供される主切刃の背面にある２つの拘束面しか利用することができない。このため、上記インサート着脱式転削工具においては、工具本体に対して切削インサートを強い力でクランプすることが難しいという課題があった。
【０００４】
本発明は、このような背景の下になされたもので、上述のように縦刃の三角形平面状の切削インサートを、工具本体に対して高剛性でクランプすることが可能な切削インサート、およびかかる切削インサートを装着したインサート着脱式転削工具を提供することを目的としている。
【課題を解決するための手段】
【０００５】
上記課題を解決するために、本発明の切削インサートは、外形が三角形平板状に形成されていて、上面、下面及び３つの側面を有し、上記上面と上記側面が交差するエッジ部と上記下面と上記側面が交差するエッジ部により主切刃が形成され、隣接する上記側面どうしが交差するエッジ部により副切刃が形成され、上記側面の厚さ方向中間部分に、当該切削インサートが工具本体に取り付けられるときに上記工具本体の取付座の当接面に当接されて上記工具本体に対する当該切削インサートの相対移動を拘束する拘束面が形成され、上記拘束面は、厚み方向からみた外観形状が６角形とされていることを特徴とする。
【０００６】
このような構成の切削インサートにおいては、上述のように側面の厚さ方向中間部分に形成される拘束面が、厚み方向からみて外観形状を６角形とされているので、隣接する拘束面同士の交差角を広くとることができる。このため、拘束面同士が交差する角部近傍においても、比較的高い耐力を有することとなり、高剛性のクランプが行える。
また、切削に用いる主切刃の背面側（工具回転方向とは逆側）にある３つの拘束面を利用して、切削インサートを工具本体に固定することができ、この点においても、高剛性のクランプが行える。ちなみに、厚み方向からみた外観形状が三角形の拘束面を有する場合、クランプに際し、主切刃の背面側にある２つの拘束面しか利用することができず、強いクランプが行えない。
【０００７】
また、上記切削インサートにおいては、上記上面と上記側面が交差するエッジ部と上記下面と上記側面が交差するエッジ部に、上記主切刃と、該主切刃に隣接する上記副切刃の逃げ面強化部を形成することにより、副切刃の背面を主切刃のすくい面と分離し、副切刃のくさび角を大きくとることができる。このため、副切刃の耐欠損性を向上させることができる。
【０００８】
また、上記切削インサートにおいては、上記主切刃から当該切削インサートの中心に向かって延びて上記上面または上記下面に形成される逃げ面が捩れて形成され、当該切削インサートが上記工具本体に取り付けられるときに、上記主切刃のいずれの部位であっても逃げ角が一定になるように形成することにより、主切刃に対しても耐欠損性を向上させることができる。
ちなみに、この種従来の一般的な縦型の切削インサートを用いる場合、インサート厚みが大きくなることから、主切刃が芯上がりとなるため、逃げ角が大きくなってしまい、耐欠損性に劣っていた。
【０００９】
また、上記切削インサートにおいては、上記主切刃を、当該切削インサートの中心線方向から見て凸曲線状をなすように形成することにより、このようにインサート着脱式転削工具の工具本体に取り付けた際に、工具本体の後端側に位置させられることになる主切刃の他端部側でアキシャルレーキ角を正角側に大きくとることができ、もって切れ味を向上させることができる。
【００１０】
また、上記切削インサートにおいては、上記主切刃と副切刃と間のコーナー部に、それら主切刃と副切刃とに交差するチャンファーまたは凸曲面を形成することにより、主切刃と副切刃と間のコーナー部近傍の副切刃や主切刃の切刃強度のさらなる向上を図って、耐欠損性を一層高めることが可能となる。
【００１１】
また、上記切削インサートにおいては、上記三角形面の上面及び下面に、互いに異なるコーナー指標を設けることにより、これらコーナー指標に基づいて、例えばコーナー指標が隣接する主切刃や副切刃が未使用か、使用済みかを判別することができ、使用済みのこれら切刃が再び使用されてしまったり、逆に切刃が未使用のまま切削インサートが廃棄されたりするのを防ぐことができる。
【００１２】
また、本発明のインサート着脱式転削工具においては、軸線回りに回転される工具本体を有し、該工具本体の先端外周部に形成された取付座に、請求項１から請求項６のいずれか一項に記載の切削インサートが、上記上面又は下面のうち一方を上記工具本体外周側に向けるとともに、一の上記主切刃を工具回転方向側に向けて着脱可能に取り付けられ、上記工具本体の上記取付座には、上記６角形に形成された拘束面のうちの３つ面がそれぞれ当接される当接面が形成されていることを特徴としており、これにより、切削インサートの拘束面を３つの当接面にそれぞれ突き当てることによって、高剛性のクランプが行える。
【発明の効果】
【００１３】
本発明によれば、隣接する拘束面同士の交差角を広くとることができ、拘束面同士が交差する部分においても、比較的高い耐力を有することとなり、高剛性のクランプが行える。また、切削に用いる主切刃の背面側にある３つの拘束面を利用して、切削インサートを工具本体に固定することができ、この点においても、高剛性のクランプが行える。この結果、切削インサートがもともと有する切れ味を最大限発揮させることができ、しかも切削インサートの長寿命化を図ることもできる。
【発明を実施するための最良の形態】
【００１４】
図１ないし図７は、本発明の一実施形態の切削インサート１を示すものであり、図８ないし図１１は、この切削インサート１を取り付けた本発明の一実施形態のインサート着脱式転削工具（フライスカッタ）を示すものである。
本実施形態の切削インサート１は上述した縦刃の切削インサートであって、超硬合金等の硬質材料によって構成され、その外形が三角形平板状、より具体的には概略正三角形平板状をなしている。そして、切削インサート１は、概略正三角形状とされた上面２ａ及び下面２ｂと、これらの上面２ａ及び下面２ｂの周囲に配置されて、これら上面２ａ及び下面２ｂに交差する３つの側面３を有している。
【００１５】
上記上面２ａ及び下面２ｂの中央には、切削インサート１をその厚さ方向（図３における上下方向）に貫通する取付孔４が開口されており、この取付孔４の中心線Ｃは略正三角形状とされた上面２ａ及び下面２ｂの中心を通ってそれら上面及び下面に交差（直交）するように配設されている。また、本実施形態の切削インサート１は、後述する指標を除いて、この中心線Ｃ回りに１２０°ずつ回転対称形状とされるとともに、上下面を反転させたときにも対称形状となるように形成されている。
【００１６】
このような概略正三角形状とされた上下面２ａ、２ｂと側面３とが交差するエッジ部Ｅにより主切刃５が形成されているとともに、周方向に隣接する上記側面３同士が交差するエッジ部Ｆにより副切刃６が形成されている。副切刃６は該副切刃６に隣接する主切刃５に対し、後述するコーナー部９を介して連なって形成されている。ここで、本実施形態は、上述のように縦刃の切削インサートであるので、２つの上面２ａあるいは下面２ｂは、それぞれ主切刃５の逃げ面とされるとともに、側面３にはこの主切刃５と副切刃６のすくい面が形成される。
【００１７】
なお、本実施形態では、図２に示されるように、各概略三角形状の上下面２ａ、２ｂに対してそれぞれ上記中心線Ｃ方向から見て、それら上下面２ａ、２ｂと側面３のエッジ部Ｅの反時計回り方向側の端部を一端部Ｅａとしたとき、主切刃５は、その一端部Ｅａからエッジ部Ｅに沿って時計回り方向側の他端部Ｅｂ側に向けて延びて形成されている。
【００１８】
エッジ部Ｅの他端部Ｅｂには、主切刃５のすくい面に対して凸となる逃げ面強化部７が形成されている。逃げ面強化部７は、エッジ部Ｅの他端部Ｅｂの副切刃６の逃げ面（副逃げ面）とされるもので、図３に示されるように、副切刃６から該副切刃の反時計側に隣接する主切刃５の他端に向けて三角形状をなすように平坦状に形成されている。すなわち、上下面２ａ、２ｂと側面３とが交差する一のエッジ部Ｅに形成された主切刃５について、この主切刃５の一端側に連なる副切刃６の上記逃げ面強化部７は、一のエッジ部Ｅと上記一端部Ｅａで交差する他のエッジ部Ｅの他端部側において、この他のエッジ部Ｅに形成された主切刃５の他端部側におけるすくい面とは分離して平坦状に形成されている。
また、本実施形態の切削インサート１は上述のように反転対称であるので、図３に示すように１つの側面３においては、上下面２ａ、２ｂと側面３とが交差するエッジ部Ｅ同士が、その一端部Ｅａと他端部Ｅｂとを反対側に位置される。
【００１９】
ここで、本実施形態では、上記側面３の両上下面２ａ、２ｂ側には上記主切刃５に沿って凹溝状のブレーカ溝３Ａがそれぞれ形成されるとともに、これらのブレーカ溝３Ａの間には、該ブレーカ溝３Ａに対して凸となる突出部３Ｂが形成されている。この突出部３Ｂは、図４に示すように、厚み方向からみた外観形状が６角形とされている。すなわち、突出部３Ｂの厚み方向からみた外観形状は、概略正三角形状をなすとともに、それら各辺の中央部分が外方へ若干膨らむように形成され、この膨らんだ辺の中央部分とそれに隣接する概略正三角形の角部とが直線状に結ばれることで、６角形とされている。突出部３Ｂは、実際には６角柱形状をなしており、それらの側面は拘束面８とされる。拘束面８は、当該切削インサート１が工具本体に取り付けられるときに、工具本体の取付座１２の当接面に当接されて、工具本体に対する切削インサートの相対移動を拘束する機能を果たす。拘束面８同士がなす最も狭い角度θａは、６５°〜９０°の範囲とされるのが望ましく、本実施形態では７０°に設定されている。
【００２０】
また、ブレーカ溝３Ａは、その底面の主切刃５に直交する断面が、主切刃５から上記厚さ方向に上記突出部３Ｂ側に向かうに従い一旦凹んだ後に立ち上がって該突出部３Ｂに至る凹円弧等の凹曲線状をなしていて、このブレーカ溝３Ａの底面が実質的に主切刃５のすくい面とされている。従って、主切刃５には正のすくい角が与えられる。さらに、主切刃５は、上記中心線Ｃに沿った方向からみて、図２や図４に示したように外側に凸となる凸曲線状をなしており、ブレーカ溝３Ａも主切刃に沿った方向には上記底面がこの凸曲線に沿って凸曲するように形成されている。
【００２１】
上面２ａまたは下面２ｂと側面３とが交差するエッジ部Ｅの一端部Ｅａにおいて、上記主切刃５に連なる副切刃６は、上記側面３に対向する方向から見て図３に示すように主切刃５と略直交する方向に延びている。また、この副切刃６に連なって形成される上記逃げ面強化部７は、副切刃６から離間するに従い僅かに後退するように形成されていて、所望の逃げ角が付されるようになっている。なお、上記エッジ部Ｅの主切刃５の他端における上記ブレーカ溝３Ａの底面からこの逃げ面強化部７にかけての背面は、このブレーカ溝３Ａの底面から凹曲線のまま上記逃げ面強化部７に至る凹曲面とされている。
なお、本実施形態では、この副切刃６の逃げ面強化部７と主切刃５のエッジ部の一端部Ｅａ側においてその逃げ面となる上面２ａまたは下面２ｂとの間に、上面２ａまたは下面２ｂの上記エッジ部の他端部Ｅｂ側を面取りするようにしてチャンファー面９ａが形成されている。これにより、エッジ部の他端部Ｅｂには、主切刃5と副切刃６が交差するコーナー部９に、主切刃５と副切刃６とに鈍角に交差するチャンファーが形成され、副切刃６はこのチャンファーを介して主切刃５に連ねられている。
【００２２】
一方、主切刃５の逃げ面とされる上下面２ａ、２ｂにおける取付孔４の開口部の周りは、中心線Ｃに垂直な略正三角形の平坦面１Aとされている。上下面２ａ、２ｂのエッジ部Ｅ側には、このエッジ部Ｅ側に向かうに従い上記厚さ方向に後退するように傾斜する逃げ面５aが、各エッジ部Ｅに形成された主切刃５および逃げ面強化部７に沿うように略一定幅で形成されている。
逃げ面５ａは、上下面２ａ、２ｂと側面３とが交差する一のエッジ部Ｅに沿ってねじれて形成され、これにより、当該切削インサート１が工具本体に取り付けられるときに、主切刃５のいずれの部位であっても、逃げ角が一定になるようになっている。
【００２３】
すなわち、図９に示されるように、縦刃の切削インサートでは、工具本体に取り付けた場合、一の主切刃５において、工具本体の先端側から工具本体の後端側に向かうに従い、主切刃５の各部位の位置が、工具回転方向逆側へ後退する。したがって、主切刃におけるいずれの部位においても、主切刃の逃げ角を一定にするためには、主切刃の部位に応じて逃げ面の角度を設定する必要がある。
【００２４】
本実施形態では、図５〜図７に示すように、エッジ部Eの一端部Eａ側に近い位置での主切刃５の逃げ面５ａの傾斜角（切削インサート１の中心線Ｃに対する傾斜角）θｂ１を例えば８０．６°、エッジ部Eの略中央位置での主切刃５の逃げ面５ａの傾斜角θｃ１を例えば８１．９２°、エッジ部Eの他端部Eｂ側に近い位置での主切刃５の逃げ面５ａの傾斜角θｄ１を例えば８３．７°というように設定している。つまり、主切刃５において、エッジ部Ｅの一端部Ｅａから他端部Ｅｂ側に向かうに従い、逃げ面５ａの傾斜角を漸次大きくなるように設定している。
【００２５】
また、このように主切刃５の逃げ面５ａの傾斜角を主切刃の各部位に合わせて異ならせるのに対応して、主切刃５のすくい面５ｂの傾斜角（切削インサートの中心線Ｃに対する傾斜角）も主切刃５の部位に合わせて変えている。
本実施形態では、エッジ部Eの一端部Eａ側に近い位置での主切刃５のすくい面５ｂの傾斜角θｂ２を例えば２７．０５°、エッジ部Eの略中央位置での主切刃５のすくい面５ｂの傾斜角θｃ２を例えば２５．４５°、エッジ部Eの他端部Eｂ側に近い位置での主切刃５のすくい面５ｂの傾斜角θｄ２を例えば２３．４２°というように設定している。つまり、主切刃５において、エッジ部Ｅの一端部Ｅａから他端部Ｅｂ側に向かうに従い、すくい面５ｂの傾斜角を漸次小さくなるように設定している。
このように主切刃の部位に合わせて、主切刃５の逃げ面５ａの傾斜角並びに主切刃５のすくい面５ｂの傾斜角を変えることで、主切刃５のくさび角をほぼ一定になるようにしている。
【００２６】
さらに、三角形をなす上下面２ａ、２ｂの各角部近傍には、上下面２ａ、２ｂの合計６つの角部同士で互いに異なるコーナー指標１０が設けられている。これらコーナー指標１０は、本実施形態では、角部の位置を、図２に示すように二重円の個数の違いとして表示しており、上記角部近傍に刻設あるいは突設されることにより表示している。ただし、本実施形態では、上面２ａに一つの角部から周回りに沿って他の角部に向かう方向に順に、１個、２個、３個の二重円が形成されており、下面２ｂには図示していないが、上記１個〜３個と表示した角部の表裏反対の角部からやはり周回りに沿って他の角部に向かう方向に順に、４個、５個、６個の二重円が形成されている。
【００２７】
このような切削インサート１は、同形同大のものが複数、図８ないし図１１に示すようなインサート着脱式転削工具に着脱可能に取り付けられて転削加工に使用される。このインサート着脱式転削工具は、その工具本体１１が軸線Ｏを中心として先端側（図９において下側）が一段拡径した概略円盤状をなすものであって、この工具本体１１の後端部が工作機械の主軸端に取り付けられることにより軸線Ｏ回りに工具回転方向Ｔに回転させられる一方、工具本体１１の先端部外周には、複数（本実施形態では５つ）のチップポケット１１Ａが周方向に等間隔に形成されるとともに、これらのチップポケット１１Ａに連なってその工具回転方向Ｔを向く壁面と工具本体１１の先端面とに開口するように形成されたインサート取付座１２に、それぞれ上記切削インサート１が取り付けられる。
このインサート取付座１２は、図１１にハッチングを付して示すように、工具本体１１の外周側を向く略三角形の底面１２Ａと、この底面から工具本体１１の先端部の外周面に至る工具回転方向Ｔを向く斜め上向き壁面１２Ｂ、同工具回転方向を向く斜め下向き壁面１２Ｃ、及び同工具回転方向を向く他の斜め下向き壁面１２Ｄとを有し、底面１２Ａの中央にはネジ孔１２Ｅが穿設されている。
また、壁面１２Ｂ，１２Ｃ、１２Ｄには、その底面１２Ａと交差する隅部に沿って凹部１２Ｆが形成される一方、この凹部１２Ｆの工具本体１１外周面側には、切削インサート１の側面３の上記拘束面８に当接可能な突条の当接面１２Ｇが形成されている。
【００２８】
このように形成されたインサート取付座１２に、切削インサート１は、その上面２ａまたは下面２ｂのうちの一方を工具本体１１の外周側に向けるとともに、この一方の面の一のエッジ部Ｅの一端部Ｅａを工具本体１１の先端に突出させ、かつこの一のエッジ部Ｅに形成された主切刃５を工具回転方向Ｔ側に向けて着座させられる。このとき、図１１にハッチングを付して示すように、上面２ａまたは下面２ｂのうち他方の面は、その平坦面１Ａがインサート取付座１２の底面１２Ａに密着させられるとともに、上記一のエッジ部Ｅとは工具回転方向の逆側であって下側を向く側面３に形成された拘束面８が壁面１２Ｂの突条の当接面１２Ｇの上記突端面に当接させられ、また、上記一のエッジ部Ｅとは工具回転方向の逆側であって上側を向く側面３に形成された拘束面８，８が壁面１２Ｃ、１２Ｄの突条の当接面１２Ｇにそれぞれ当接させられ、上記取付孔４に挿通されたクランプネジ１３が上記ネジ孔１２Ｅにねじ込まれることにより、切削インサート１はインサート取付座１２に着脱可能に装着される。
【００２９】
そして、こうしてインサート取付座１２に装着された切削インサート１においては、その上記一のエッジ部Ｅに形成された主切刃５が工具本体１１の最外周に位置するように上面２ａまたは下面３ｂに外周の逃げ角が与えられるとともに、上記一のエッジ部Ｅの一端部Ｅａにおいてこの主切刃５に連なる副切刃６が、工具本体１１の最先端において軸線Ｏに垂直な平面上に位置するように上記逃げ面強化部７に正面の逃げ角が与えられる。勿論、複数の切削インサート１同士においては、これら主切刃５や副切刃６の回転軌跡が一致するように、すなわち複数の切削インサート１は軸線Ｏ回りに所定の角度（本実施形態では７２°）ずつ回転対称に配設される。
【００３０】
このようにインサート着脱式転削工具に取り付けられて使用される上記切削インサート１では、側面３の厚さ方向中間部分に形成される拘束面８が、厚み方向からみて外観形状を６角形とされているので、主切刃５が基本的に三角形状をなすように配置されているにも拘わらず、拘束面８同士の交差角θａを広くとることができる。このため、拘束面同士が交差する角部近傍においても、比較的高い耐力を有することとなり、結果的に、高剛性のクランプが行える。
【００３１】
また、上記切削インサート１では、切削に用いる主切刃５の背面側（工具回転方向Ｔの逆側）にある３つの拘束面８を利用して、当該切削インサート１を工具本体１１に固定することができる。この点においても、高剛性のクランプが実現できる。ちなみに、拘束面８が、厚み方向からみた外観形状が三角形の場合、クランプに際し、主切刃５の背面側にある２つの拘束面しか利用することができず、この場合、強いクランプは望めない。
【００３２】
さらに、このような切削インサート１を上述のように着脱可能に取り付けたインサート着脱式転削工具によれば、また、上面２ａまたは下面２ｂと側面３が交差するエッジ部Ｅに、主切刃５のほか、該主切刃５の他端側（時計方向）に隣接する副切刃６の逃げ面強化部７を形成することにより、副切刃６の背面を主切刃５のすくい面と分離させている。つまり、副切刃６の背面（時計方向）において主切刃５のすくい面を形成する凹部を潰して平坦状に形成している。この結果、副切刃６のくさび角を大きくとることができ、副切刃６の耐欠損性を向上させることができる。
【００３３】
また、上記切削インサート１においては、主切刃5から当該切削インサート1の中心に向かって延びて上面２ａまたは下面２ｂに形成される逃げ面５ａが捩れて形成され、当該切削インサート1が工具本体１１に取り付けられるときに、主切刃５のいずれの部位であっても逃げ角が一定になるように形成している。これにより、主切刃５に対しても耐欠損性を向上させることができる。
加えて、この実施形態では、このように主切刃５の部位に合わせて、主切刃５のすくい面５ｂの傾斜角も変えており、これにより、主切刃５のくさび角をほぼ一定とすることができる。この点においても、主切刃５に対する耐欠損性を向上させることができる。この結果、切り込み深さの小さい切削時にも、良好な切れ味を発揮できる。
【００３４】
しかも、本実施形態の切削インサート１では、上面２ａまたは下面２ｂの各角部に互いに異なるコーナー指標１０が形成されており、これらのコーナー指標１０に基づいて、６組の主切刃５および副切刃６を間違えることなくすべて使い切ることができる。すなわち、未使用の主切刃５および副切刃６が残されたまま切削インサート１が廃棄されたりすることがないので経済的であり、その一方で使用済みの主切刃５および副切刃６が再度使用されて所望の切削性能が得られなくなるようなこともない。なお、本実施形態では二重円の個数を異ならせるコーナー指標１０を用いているが、同指標はこれに限られることなく、例えば１から６の数字や、ａからｆのアルファベット、その他の異なる表示をコーナー指標１０として用いてもよい。
【００３５】
一方、上記実施形態の切削インサート１では、主切刃５が上記中心線Ｃ方向から見て凸曲線状をなすように形成されており、このような主切刃５の一端を工具本体１１の先端に突出させた上記実施形態のインサート着脱式転削工具では、この主切刃５のアキシャルレーキ角が工具本体１１の後端側に向かうに従い正角側に漸次大きくなってゆくため、後端側では主切刃５に鋭い切れ味を与えて切削抵抗の低減を図ることができる。そして、こうして主切刃５が凸状に張り出すことでその肉厚を大きく確保して切刃強度の向上を図ることができるので、先端側の上記エッジ部Ｅの一端部Ｅaの副切刃６に逃げ面強化部７が形成されることとも相俟って、この主切刃５についても耐欠損性を高めて一層長寿命の切削インサートを提供することが可能となる。
【００３６】
加えて、本実施形態の切削インサート１では、このようにインサート着脱式転削工具において工具本体１１の先端に突出させられるエッジ部Ｅの一端部Ｅａに、この一端部で連なる主切刃５と副切刃６とに交差するコーナー部９にチャンファーが形成されており、これによって主切刃５に副切刃６が連なる部分に鋭利な角部が形成されるのを避けることができるので、かかる角部から欠損が生じてインサート寿命が短縮されてしまうのも防ぐことができる。
なお、本実施形態では、主切刃５と副切刃６とのコーナー部９が、平面状のチャンファー面９Ａを形成することによって側面視直線状とされているが、チャンファー面９Ａに代わって、例えば側面視が双曲線状、楕円状、アール状、あるいは直線を間に挟み両端がアール状になった凸曲面を形成し、このような凸曲面を主切刃５および副切刃６に鈍角に交差させたり、これら切刃に接するように形成してもよい。
【００３７】
さらにまた、本実施形態では、切削インサート１の側面３においてその上記２つの三角形面２側に、主切刃５に沿ってブレーカ溝３Ａがそれぞれ形成されるとともに、これらのブレーカ溝３Ａの間の部分は突出部３Ｂとされていて、この突出部３Ｂの突端面を拘束面８としてインサート取付座１２の壁面１２Ｂ，１２Ｃ、１２Ｄに形成された突条の当接面１２Ｇに当接させて、切削インサート１がインサート着脱式転削具に取り付けられている。このため、上述のような凹溝状のブレーカ溝３Ａが形成されていても、切削インサート１の取付安定性が損なわれることがなく、高精度の切削加工を安定して行うことができるとともに、このようなブレーカ溝３Ａによって切削抵抗の一層の低減と切屑処理性の向上を図ることができる。
【００３８】
以上、本発明の実施形態である切削インサート１およびインサート着脱式転削工具について説明したが、本発明はこれに限定されることはなく、その発明の技術的思想を逸脱しない範囲で適宜変更可能である。
例えば、いわゆる右勝手のフライスカッタに装着される切削インサートとして説明したが、これに限定されることはなく、左勝手のフライスカッタに装着される切削インサートであっても良い。なお、左勝手の場合には、本実施形態とは捩れの向きが異なり、中心線Ｃ方向から見て、一方の正方形面２が他方の正方形面２に対して反時計回りに回転するように捩れた切削インサート１が使用されることになる。
【図面の簡単な説明】
【００３９】
【図１】本発明の一実施形態の切削インサートを示す斜視図である。
【図２】図１に示す実施形態の上面を中心線Ｃ方向から見た平面図である。
【図３】図１に示す実施形態の切削インサートのIII方向から見た底面図である。
【図４】図３のIV―IV線に沿う断面図である。
【図５】図２のV−V線に沿う断面図である。
【図６】図２のVI−VI線に沿う断面図である。
【図７】図２のVII−VII線に沿う断面図である。
【図８】本発明の一実施形態のインサート着脱式転削工具を示す斜視図である。
【図９】図８に示す実施形態の側面図である。
【図１０】図８に示す実施形態の底面図である。
【図１１】図８に示す実施形態のインサート着脱式転削工具の工具本体に、図１に示す実施形態の切削インサート１を取り付けるときの取付図である。
【符号の説明】
【００４０】
１  切削インサート  
２ａ  三角形状の上面
２ｂ  三角形状の下面
３  側面  
３Ｂ  突出部  
４  取付孔  
５  主切刃  
５ａ逃げ面
５ｂすくい面
６  副切刃  
７  逃げ面強化部  
８  拘束面
９  コーナー部  
１０  コーナー指標  
１１  工具本体  
１２  インサート取付座  
【図１】
2010064224.tif 000003
【図２】
2010064224.tif 000004
【図３】
2010064224.tif 000005
【図４】
2010064224.tif 000006
【図５】
2010064224.tif 000007
【図６】
2010064224.tif 000008
【図７】
2010064224.tif 000009
【図８】
2010064224.tif 000010
【図９】
2010064224.tif 000011
【図１０】
2010064224.tif 000012
【図１１】
2010064224.tif 000013